(57)【要約】【課題】  枝梗付き穀粒や横向き姿勢となったワラ屑が短絡流下することを抑制することができるチャフシーブを提供する。【解決手段】  複数のチャフプレート２１を後傾斜姿勢で前後に並列配備するとともに、各チャフプレート２１の下端辺に沿って、上手側チャフプレート２１の背面に向けて突出する段部２１ａを形成した脱穀装置のチャフシーブにおいて、段部２１ａの先端に上手側チャフプレート２１の背面に向けて突出する多数の突起２５を左右に並列形成し、隣接する突起２５の間隔を、穀粒の通過を許容するとともに横向き姿勢のワラ屑の通過を受止め阻止する大きさに設定してある。【選択図】        図３
2006050939.tif 000002
【特許請求の範囲】
【請求項１】
複数のチャフプレートを後傾斜姿勢で前後に並列配備するとともに、各チャフプレートの下端辺に沿って、上手側チャフプレートの背面に向けて突出する段部を形成した脱穀装置のチャフシーブであって、
前記段部の先端に上手側チャフプレートの背面に向けて突出する多数の突起を左右に並列形成し、隣接する突起の間隔を、穀粒の通過を許容するとともに横向き姿勢のワラ屑の通過を受止め阻止する大きさに設定してあることを特徴とする脱穀装置のチャフシーブ。
【請求項２】
前記チャフプレートの後傾斜角度を変更調整可能に構成するとともに、チャフプレートが最も後傾斜されたチャフ開度最小状態において、前記突起の先端が上手側チャフプレートの背面に近接対向するよう構成してある請求項１記載の脱穀装置のチャフシーブ。
【発明の詳細な説明】
【技術分野】
【０００１】
本発明は、コンバインに搭載される脱穀装置の揺動選別用シーブケースに装着されるチャフシーブに関する。
【背景技術】
【０００２】
チャフシーブは、主として、ワラ屑が含まれた脱穀処理物を粗選別するのに用いられ、複数の樹脂製あるいは板金製のチャフプレートを後傾斜姿勢で前後に並列配備するとともに、各チャフプレートの下端辺に沿って、上手側チャフプレートの背面に向けて突出する段部を形成して構成されるのが一般的である。そして、処理物の量などに応じて漏下用の開度（チャフ開度）を変更調整するために、各チャフプレートの後傾斜角度が変更可能となっている（例えば、特許文献１参照）。
【特許文献１】特開２００３−２７４７４２号公報
【発明の開示】
【発明が解決しようとする課題】
【０００３】
チャフプレートの下端辺に沿って形成された段部は、前後のチャフプレート間に形成された漏下間隙に縦姿勢で突き刺さってきた長いワラが下方の精選別箇所に短絡流下することを防止する機能を備えているのであるが、枝梗付き穀粒や横向き姿勢となったワラ屑、などがチャフプレート間の漏下間隙に入り込んだ場合、段部で受止められることなく流下してしまい、１番物（穀粒）の選別精度が低下する一因となっていた。
【０００４】
そして、コンバイン作業では枕地走行中は脱穀処理物の流量が少なくなるので、チャフ開度を最小に調整してワラ屑類を段部によって受止めてながら穀粒を流下させることになり、チャフ開度を最小にした状態でも段部の先端と上手側チャフプレートの背面との間には穀粒が通過できる大きさの間隙が残存されている。
【０００５】
しかし、脱穀処理物の流量が少なくなるとシーブケースの揺動選別作動によって処理物が大き跳ね動きやすくなり、軽いワラ屑と重い穀粒の比重差選別作用が充分行われることなく揺動移送され、その結果、枝梗付き穀粒や横向き姿勢となったワラ屑がチャフプレート間の漏下間隙に入りやすくなり、チャフプレートの段部先端と上手側チャフプレートの背面との間に形成された間隙から流下してしまい、チャフ開度を小さくした割には枝梗付き穀粒やワラ屑の短絡流下を抑制する機能が発揮されないものとなっていた。
【０００６】
本発明は、このような点に着目してなされたものであって、枝梗付き穀粒や横向き姿勢となったワラ屑が短絡流下することを効果的に抑制することができるチャフシーブを提供することを目的としている。
【課題を解決するための手段】
【０００７】
第１の発明は、複数のチャフプレートを後傾斜姿勢で前後に並列配備するとともに、各チャフプレートの下端辺に沿って、上手側チャフプレートの背面に向けて突出する段部を形成した脱穀装置のチャフシーブであって、
前記段部の先端に上手側チャフプレートの背面に向けて突出する多数の突起を左右に並列形成し、隣接する突起の間隔を、穀粒の通過を許容するとともに横向き姿勢のワラ屑の通過を受止め阻止する大きさに設定してあることを特徴とする。
【０００８】
上記構成によると、脱穀処理物がチャフプレート間の漏下間隙に入り込むと、小さい穀粒は段部の先端部に並設された突起の間から流下するが、枝梗付き穀粒や横向き姿勢となったワラ屑は並設された突起で受止められて下方への流下が阻止され、受止められた枝梗付き穀粒やワラ屑はシーブケースの揺動作動によって漏下間隙から上方に跳ね出されて後方に揺動移送されてゆく。
【０００９】
従って、第１の発明によると、枝梗付き穀粒やワラ屑が短絡流下してチャフシーブ下方の精選別箇所へ混入することを抑制することができ、精度の高い選別を行う上で有効となる。
【００１０】
第２の発明に係るは、上記第１の発明において、
前記チャフプレートの後傾斜角度を変更調整可能に構成するとともに、チャフプレートが最も後傾斜されたチャフ開度最小状態において、前記突起の先端が上手側チャフプレートの背面に近接対向するよう構成してある。
【００１１】
上記構成によると、脱穀処理物の流量減少に伴ってチャフプレートを最も後傾斜してチャフ開度を最小に調整した状態では、突起の先端と上手側チャフプレートの背面との間には微少な間隙しか残存せず、枝梗付き穀粒や横向き姿勢となったワラ屑は並設された突起によって受止められやすくなり、処理物流量が少なくて枝梗付き穀粒やワラ屑がチャフプレート間に入り込みやすくなる状態でも、これらの短絡流下を確実に抑制することができ、台の発明の上記効果を一層的確に発揮する。
【発明を実施するための最良の形態】
【００１２】
以下、本発明の実施例を図面に基づいて説明する。
【００１３】
図１に、自脱型コンバインに搭載される脱穀装置の縦断した側面図が示されている。この脱穀装置は、図外左方の刈取り部からで搬送されてきた横倒れ姿勢の刈取り穀稈をフィードチェーン１で受取り、その穂部を扱室２に挿入した状態で図中左方から右方に通過搬送することで、扱室２に前後水平に軸支した扱胴３によって脱穀処理し、穀稈から分離した処理物を扱室下部に沿って張設した受網４で選別し、受網４を漏下した処理物を扱室２の下方に配備された選別部５の前半部に落下供給するとともに、受網４を漏下しなかった処理物を扱室終端の送塵口６から搬出して選別部５の前後中間部に落下供給し、選別部５に落下供給された処理物を前後に長いシーブケース７で受け止め、載置した処理物を後方（図１では右方）に向けて揺動搬送しながら粗選別用の前部チャフシーブ８、精選別用のグレンシーブ９、ほぐし用の選別ラック１０、後部チャフシーブ１１、ストローラック１２、などを利用して篩い選別するとともに、選別部前端部に備えた唐箕１３から後方上方に向けて選別風を供給して風選処理し、グレンシーブ９から漏下した穀粒を１番回収部１４に、また、後部チャフシーブ１１やストローラッ１２から漏下した２番物を２番回収部１５にそれぞれ選別回収し、１番回収部１４に回収した１番物（穀粒）を１番スクリュー１６によって機外にまで横送りした後、穀粒タンクなどの回収部に供給し、２番回収部１５に回収した２番物を２番スクリュー１７によって横送りした後、シーブケース７の前部に還元供給して再選別処理を行うように構成されている。
【００１４】
また、扱室２の後方で選別部５の後部上方箇所には、排ワラ搬送経路の下側に位置させて横断流ファンからなる排塵ファン１８が横架されており、扱室２の終端に形成された送塵口６から吹き出てきた浮塵やワラ屑、選別風によって選別部５の後部上方に吹き上げられた浮塵やワラ屑が排塵ファン１８に吸引されて強制的に機体後方に排出されるようになっている。また、前記排塵ファン１８の上方には排ワラ搬送装置１９が配備されており、扱室２から搬出されてきた排ワラが後方かつ穂先側に向けて斜め搬送され、排ワラカッタ２０や図示されていない排ワラ結束装置などの排ワラ処理装置に供給されるようになっている。
【００１５】
図４に示すように、１番回収部１４および２番回収部１５の底壁部は、左右の円弧状支持枠３１に亘ってピアノ線３２を穀粒が通過しない小間隔をもって円弧状に並列して構成されており、穀粒がピアノ線３２に沿って移動することで損傷のない搬送８が行われるとともに、１番物あるいは２番物に混入した塵埃や小さい切れワラを横送り搬送中に機外に流下排出するよう構成されている。また、図５に示すように、２番スクリュー１７の横送り終端部には２番物をスクリュー３３で揚送してシ−ブケース７の前部に還元する２番還元装置３４が連設されている。この２番還元装置３４の基部には、横送りされてきた２番物を回転体３５と固定受け歯３６によって強制攪拌して単粒化を促進する処理ケース３７が備えられており、この処理ケース３７の底部を上記と同様に左右の支持枠３８に亘ってピアノ線３９を小間隔で並列した構造にすることで塵埃の早期排出が可能となる。
【００１６】
本発明では、前記前部チャフシーブ８が以下のように構成されている。
【００１７】
図２に示すように、前部チャフシーブ８は、金属板材からなる複数のチャフプレート２１が後傾斜姿勢で前後に一定間隔をもって並列配備されるとともに、各チャフプレート２１の下端辺に沿って、上手側チャフプレート２１の背面に向けて突出する段部２１ａが折り曲げ形成されている。また、各チャフプレート２１の上端は支点軸２２を介して前後に揺動可能に支持されるとともに、各チャフプレー２１の下部が支持リンク２３に支軸２４を介して枢支連結されており、図２（イ）に示すように、支持リンク２３を前方（図では左方）に変位させることでチャフプレート２１の後傾斜をきつくしてチャフ開度を小さくすることができ、図２（ロ）に示すように、支持リンク２３を後方（図では右方）に変位させることでチャフプレート２１の後傾斜を緩くしてチャフ開度を大きくするよう構成されている。
【００１８】
また、各チャフプレー２１の下端に備えた段部２１ａの先端には、上手側チャフプレート２１の背面に向けて突出する多数の突起２５が左右に並列形成されている。そして、隣接する突起２５の間隔が、穀粒の通過を許容するとともに横向き姿勢のワラ屑の通過を受止め阻止する大きさに設定されている。また、図２（イ）に示すように、チャフプレート２１が最も後傾斜されたチャフ開度最小状態において、前記突起２５の先端が上手側チャフプレー２１トの背面に充分近接して対向し、枝梗付き穀粒や横向き姿勢のワラ屑が突起２５によって受止められて、下方に短絡流下することが抑制されるようになっている。
【００１９】
なお、後部チャフシーブ１１はチャフ開度が一定に構成されており、下端辺に沿って段部２６ａを形成した金属板材からなる複数のチャフプレート２６が前後に一定間隔をもって所定の後傾斜姿勢で固定配備された構造となっている。
【００２０】
〔他の実施例〕
【００２１】
（１）チャフプレート２１を樹脂成形する場合には突起２５を一体形成することができる。
【００２２】
（２）後部チャフシーブ１１を前部チャフシーブ８と同様にチャフ回動調整可能に構成することもできる。
【図面の簡単な説明】
【００２３】
【図１】脱穀装置の縦断側面図
【図２】チャフシーブの拡大側面図
【図３】リッププレートの一部を示す斜視図
【図４】脱穀装置の一部を拡大した縦断側面図
【図５】２番還元装置の基部を示す縦断側面図
【符号の説明】
【００２４】
２１                  チャフプレート
２１ａ                段部
２５                  突起
【図１】
2006050939.tif 000003
【図２】
2006050939.tif 000004
【図３】
2006050939.tif 000005
【図４】
2006050939.tif 000006
【図５】
2006050939.tif 000007